(57)【特許請求の範囲】
【請求項１】
躯体の開口部に固着される金属枠と、金属枠の内周面の溝部内に積層され、積みモルタルによって一体化された複数の建築用ガラスブロックとからなるガラスブロックパネルにおいて、前記金属枠の溝部の両側面には、すべり材が、溝部から上方に突出するようにして取り付けられてなることを特徴とするガラスブロックパネル。
【請求項２】
すべり材が、金属枠の溝部から５ｍｍ以上、上方に突出するように取り付けられてなることを特徴とする請求項１記載のガラスブロックパネル。
【請求項３】
躯体の開口部に固着される金属枠と、金属枠の内周面の溝部内に積層され、積みモルタルによって一体化された複数の建築用ガラスブロックとからなるガラスブロックパネルにおいて、前記金属枠の溝部の底面と両側面には、シート形状を有する弾性止水材が嵌着固定され、弾性止水材の両側端部が溝部から上方に突出してなることを特徴とするガラスブロックパネル。
【請求項４】
弾性止水材は、その両側端部が、金属枠の溝部から５ｍｍ以上、上方に突出するように取り付けられてなることを特徴とする請求項３記載のガラスブロックパネル。
【請求項５】
弾性止水材の底部の裏面側には、止水用凸条部が形成されてなることを特徴とする請求項３又は４記載のガラスブロックパネル。
【請求項６】
弾性止水材の底部の裏面側には、排水用凹条部が形成されてなることを特徴とする請求項３〜５のいずれか１項に記載のガラスブロックパネル。
【発明の詳細な説明】
【０００１】
【産業上の利用分野】
本発明は、採光、装飾等を目的として使用されるガラスブロックパネル、及びそれに用いられる弾性止水材に関するものである。
【０００２】
【従来の技術】
建築用ガラスブロックは、断熱性に優れ、透光性を有するため、従来から建築物の壁体（パネル）の材料として広く用いられている。
【０００３】
以下、ガラスブロックパネルの構築手順を、図３に基づいて説明する。
【０００４】
まず、建築物の躯体１０に形成された開口部に、ステンレス、アルミニウム等の金属材料にて構成された金属枠１１を取付固定する。この金属枠１１の下辺枠の内周面の溝部内に、水抜きプレート１２、アンカーピース１３及びすべり材１４、１４を取り付け、また側辺枠の内周面及び上辺枠の内周面（図示省略）の溝部内には、緩衝材１５、アンカーピース１３及びすべり材１４、１４を取り付ける。
【０００５】
次に金属枠１１の内外表面にシーリング材１６、１７の幅を確保すると共に、金属枠１１の内側に目地幅を確保するようにガラスブロックＧ、Ｇ…を下から順に積み重ねる。この時、ガラスブロックＧの間に各々２本の鉄筋を所定間隔を保って連結して形成した梯子状の縦力骨１８と横力骨１９を取り付けながら、上下左右の目地部に積みモルタル２０が固着されるように積層施工する。
【０００６】
その後、雨水がガラスブロックパネルの内部や室内に侵入するのを防止するため、各ガラスブロックＧ間の目地部には、防水層２１を形成し、その上に化粧目地層２２を形成する。また躯体１０の開口部と金属枠１１の外周との室外側隙間には、バックアップ材２３を介してポリサルファイドやシリコーン系ゴム等のシーリング材２４を充填し表面を仕上げる。さらに金属枠１１の内周とガラスブロックＧとの室内側及び室外側隙間にも、バックアップ材２５、２６を介してシーリング材１６、１７を充填し表面を仕上げる。また金属枠１１の下辺枠の溝部には、複数個の排水孔１１ａを形成し、さらに金属枠１１の下辺枠内の室外側に水抜き孔１１ｂを形成し、雨水が金属枠１１の内部に侵入しても、排水孔１１ａを経由して水抜き孔１１ｂから外部に排水されるようにする。
【０００７】
尚、すべり材１４、１４は、金属枠１１と積みモルタル２０とを縁切りし、両者が接触するのを防止するための部材であり、地震等で金属枠１１が変形した時、すべり材１４、１４が滑るように移動し、これによって積みモルタル２０に加わる力を弱めてガラスブロックの割れを防止することが可能となる。また、バックアップ材２５、２６は、シ−リング材１６、１７と積みモルタル２０との間に介在する部材であり、これによってシーリング材１６、１７が、その側面の２箇所だけでガラスブロックＧと金属枠１１とに接着することになるため、変形に対する追従性が向上し、地震等でシーリング材１６、１７が変形しても、シール性能が損なわれにくくなる。
【０００８】
【発明が解決しようとする課題】
通常、雨水がガラスブロックパネルや室内に侵入することは、室外側のシーリング材１６及び防水兼化粧目地等によって遮断されるため起きないが、シーリング材１６は、長期間の使用によって劣化することがあり、また金属枠１１とガラスブロックＧとの隙間の目地部に形成される防水層２１は、金属枠１１との連続性が乏しいため、特に金属枠１１とガラスブロックＧとの隙間から雨水が侵入しやすい。
【０００９】
また金属枠１１とガラスブロックＧとの間の目地部に防水層２１を形成する際に、防水材を金属枠１１にまで塗り付けることが多く、金属枠１１に防水材が塗布された状態で、シーリング材１６を充填しても、良好に充填することが困難であり、防水性がますます低下するという問題がある。この問題を解消するためには、金属枠１１に付着した防水材を完全に除去すれが良いが、この作業は大変煩雑である。
【００１０】
このように金属枠１１とガラスブロックＧとの隙間からは雨水が侵入しやすいが、こうして金属枠１１内に侵入した水は、バックアップ材２５を通して積みモルタル２０に至り、金属枠１１の下辺枠の溝部に形成された排水孔１１ａから、その内部に流れ込むことになる。そして、この下辺枠内に溜まった水は、その室外側に形成された水抜き孔１１ｂから外部に排出される。
【００１１】
しかしながら、この排出される水には、積みモルタル２０の灰汁分が混入しており、その量が多くなると、灰汁等が水抜き孔１１ｂに詰まり、孔を塞いでしまい、水抜き孔１１ｂとしての本来の機能を果たさなくなる。
【００１２】
この灰汁等による水抜き孔１１ｂの詰まりを防止する対策として、水抜き孔１１ｂを大きくすることが考えられるが、水抜き孔１１ｂを大きくすると、室外側から埃や昆虫等が侵入し、これらが水抜き孔１１ｂを塞ぐ原因となりやすいため好ましくない。
【００１３】
本発明は、上記事情に鑑みなされたものであり、その第１の目的は、金属枠とガラスブロックの隙間を封止するシーリング材が劣化しても、金属枠内に雨水が侵入するのを抑制できるガラスブロックパネルを提供することである。
【００１４】
また本発明の第２の目的は、金属枠とガラスブロックの隙間を封止するシーリング材が劣化し、金属枠内に雨水が侵入しても、水が積みモルタルまで達することなく、外部に排出されるガラスブロックパネルを提供することである。
【００１５】
【課題を解決するための手段】
本発明のガラスブロックパネルは、躯体の開口部に固着される金属枠と、金属枠の内周面の溝部内に積層され、積みモルタルによって一体化された複数の建築用ガラスブロックとからなるガラスブロックパネルにおいて、前記金属枠の溝部の両側面には、すべり材が、溝部から上方に突出するようにして取り付けられてなることを特徴とする。
【００１６】
また本発明の他の態様は、躯体の開口部に固着される金属枠と、金属枠の内周面の溝部内に積層され、積みモルタルによって一体化された複数の建築用ガラスブロックとからなるガラスブロックパネルにおいて、前記金属枠の溝部の底面と両側面には、シート形状を有する弾性止水材が嵌着固定され、弾性止水材の両側端部が溝部から上方に突出してなることを特徴とする。
【００１８】
【発明の実施の形態】
本発明では、金属枠の溝部内の両側面に、その溝部から上方に突出するようにすべり材が取り付けられているため、金属枠とガラスブロックとの間の目地部に充填されたシーリング材が劣化し、そこから雨水が侵入しても、すべり材の突出部によって水がせき止められるため、金属枠の内部に水が侵入するのを抑制することができる。
【００１９】
通常、金属枠とガラスブロックとの間の目地幅は、約１５ｍｍであるが、すべり材の突出長さが５ｍｍ以上であれば、水の侵入を抑える効果がある。突出長さの好ましい長さは、１０ｍｍ以上である。
【００２０】
すべり材は、金属枠と積みモルタルとを縁切りし、両者が接触するのを防止でき、熱や地震等で金属枠が変形した時、滑るように移動することによって積みモルタルに加わる挙動を吸収し、ガラスブロックの割れを防止することができる材料であればいずれも使用可能である。また、すべり材には、弾力性、耐候性、復元性を有することが望ましいため、その材料は、ブチルゴムや塩ビ等が好適である。
【００２１】
また本発明では、金属枠の溝部の底面と両側面に、弾性止水材が嵌着固定され、弾性止水材の両側端部が、金属枠の溝部から上方に突出してなるため、金属枠とガラスブロックとの間の目地部に充填されたシーリング材が劣化し、この部分に雨水が侵入しても、弾性止水材の両側端部（突出部）によって水がせき止められるため、金属枠の内部に水が侵入するのを抑制することができる。
【００２２】
また本発明においても、金属枠とガラスブロックとの間の目地部に防水層を形成することが望ましいが、防水材を積みモルタルの表面に塗布する際に、金属枠に防水材が付着するのを防止するためには、弾性止水材の突出部を金属枠側に一時的に折り曲げた状態で防水材を塗布形成すれば良い。こうすることによって金属枠の上表面が弾性止水材の両側端部（突出部）で覆われることになるため、防水材が金属枠の上表面に付着するのを防止することが可能となる。
【００２３】
また例え、雨水が金属枠と弾性止水材との間から侵入しても、水は、弾性止水材の裏面側から金属枠の下辺枠の溝部に形成された排水孔に流れ、さらに下辺枠の室外側に形成された水抜き孔から排出されることになる。この排出される水は、積みモルタルには一切接触しないため、灰汁等のモルタル成分によって汚染されることはなく、水抜き孔に灰汁等が詰まって塞がるのを防止することができる。
【００２４】
弾性止水材の突出長さは、５ｍｍ以上であれば、水の侵入を抑える効果があり、好ましくは、１０ｍｍ以上である。
【００２５】
また弾性止水材の底部の裏面側に、その長手方向に沿って止水用凸条部を形成すると、弾性止水材と金属枠との間から侵入した水が、弾性止水材の裏面側に流れ込んでも、止水用凸条部によって確実に止めることができ、室内側に水が回り込むのを防止できるため好ましい。
【００２６】
さらに弾性止水材の底部の裏面側に、その長手方向に沿って排水用凹条部を形成すると、弾性止水材と金属枠との間から侵入した水が、弾性止水材の裏面側に流れ込んでも、水が排水用凹条部を経由して金属枠の下辺枠の溝部に形成された水抜き孔に流れ易くなるため好ましい。
【００２７】
弾性止水材の材料としては、柔軟で、金属枠との密着性が良好な材料であれば、いずれも使用できるが、特にＥＰＤＭ、シリコーン等の弾性ゴムが好適である。
【００２８】
【実施例】
以下、本発明を実施例に基づいて詳細に説明する。
【００２９】
図１は、本発明のガラスブロックパネルを示す破断状態の斜視図であり、図２（ａ）は、弾性止水材を示す正面図、図２（ｂ）は、弾性止水材を使用したガラスブロックパネルを示す要部断面図である。尚、図３に示した説明図と同一部分には、同一の参照符号を付している。
【００３０】
図中、建築物の躯体１０に形成された開口部には、ステンレス、アルミニウム等の金属材料にて構成された金属枠１１が取付固定されている。この金属枠１１の下辺枠の内周面に形成された溝部内には、ＥＰＤＭ製の弾性止水材２７とアンカーピース１３が取り付けられ、また側辺枠の内周面及び上辺枠の内周面（図示省略）に形成された溝部内には、緩衝材１５、ＥＰＤＭ製の弾性止水材２７及びアンカーピース１３が取り付けられている。
【００３１】
また金属枠１１の内周面の溝部内には、目地幅を確保するようにガラスブロックＧ、Ｇ…が下から順に積層されている。ガラスブロックＧの間には、各々２本の鉄筋が所定間隔を保って連結された梯子状の縦力骨１８と横力骨１９が取り付けられ、上下左右の目地部には積みモルタル２０が使用されている。
【００３２】
また雨水がガラスブロックパネルの内部や室内に侵入するのを防止するため、各ガラスブロックＧ間の目地部には、防水層２１が形成され、その上に化粧目地層２２が形成されている。また躯体１０の開口部と金属枠１１の外周との室外側隙間には、バックアップ材２３が配置され、さらにポリサルファイドやシリコーン系ゴム等のシーリング材２４が充填されている。また金属枠１１の内周とガラスブロックＧとの室外側及び室内側隙間にも、バックアップ材２５、２６を介してシーリング材１６、１７が充填されている。金属枠１１の下辺枠の溝部には、排水孔１１ａが形成され、下辺枠の室外側には、水抜き孔１１ｂが形成され、雨水が金属枠１１の内部に侵入しても、排水孔１１ａを経由して水抜き１１ｂから室外に排水されるようになっている。
【００３３】
弾性止水材２７は、シート形状を有し、その底部の裏面側には、長手方向に沿って、止水用凸条部２７ａと排水用凹条部２７ｂが形成されている。この弾性止水材２７は、金属枠１１の内周面に形成された溝部内の底面と両側面に嵌着固定され、その両側端部は、金属枠１１の溝部から１０ｍｍ程度、上方に突出している。
【００３４】
この実施例のガラスブロックパネルは、金属枠１１の溝部の底面と両側面に弾性止水材２７が嵌着固定され、弾性止水材２７の両側端部が、金属枠１１の溝部から１０ｍｍ程度突出し、目地部に形成された防水層２１と接続してなるため、長期間の使用によって、金属枠１１とガラスブロックＧとの間の目地部に接着されたシーリング材１６が劣化し、この部分に雨水が侵入しても、弾性止水材２７の突出部と防水層２１によって水がせき止めされるため、金属枠１１の内部に水が侵入するのを抑制することができる。
【００３５】
また例え、雨水が金属枠１１と弾性止水材２７との間から侵入しても、水は、弾性止水材２７の底部の裏面側に形成された止水用凸条部２７ａで確実に流れが止まるため、室内側に回り込むことがない。また侵入した水は、弾性止水材２７の底部の裏面側に形成された排水用凹条部２７ｂに流れ込み、金属枠１１の下辺枠の溝部内に形成された排水孔１１ａを経由して水抜き孔１１ｂから室外に排出される。
【００３６】
【発明の効果】
以上のように、本発明のガラスブロックパネルは、金属枠の溝部の両側面に、溝部から上方に突出するようにすべり材を取り付けたり、或いは、金属枠の溝部の底面と両側面に弾性止水材を嵌着し、弾性止水材の両側端部が溝部から上方に突出するようにしてなるため、金属枠とガラスブロックとの間の目地部に充填されたシーリング材が劣化し、そこから雨水が侵入しても、すべり材や弾性止水材の突出部によって水がせき止められるため、金属枠の内部に水が侵入するのを抑制することが可能である。
【００３７】
また金属枠の溝部の底面と両側面に、弾性止水材を嵌着固定し、弾性止水材の両側端部が溝部から上方に突出するようにした本発明のガラスブロックパネルは、例え、雨水が金属枠とゴム製止水材との間から侵入しても、水は、弾性止水材の裏面側から金属枠の下辺枠の溝部内に形成された排水孔に流れ、さらに下辺枠の室外側に形成された水抜き孔から排出されることになる。
【００３８】
しかも、この排出される水は、積みモルタルには接触しないため、灰汁等のモルタル成分によって汚染されることはなく、水抜き孔に灰汁等が詰まって、塞がるのを防止することができる。
【図面の簡単な説明】
【図１】本発明のガラスブロックパネルを示す破断状態の斜視図である。
【図２】（ａ）は、弾性止水材を示す正面図、（ｂ）は、弾性止水材を使用したガラスブロックパネルを示す要部断面図である。
【図３】従来のガラスブロックパネルを示す破断状態の斜視図である。
【符号の説明】
１０  躯体
１１  金属枠
１１ａ  排水孔
１１ｂ  水抜き孔
１２  水抜きプレート
１３  アンカーピース
１４  すべり材
１５  緩衝材
１６、１７、２４  シーリング材
１８  縦力骨
１９  横力骨
２０  積みモルタル
２１  防水層
２２  化粧目地材
２３、２５、２６  バックアップ材
２７  弾性止水材
２７ａ  止水用凸条部
２７ｂ  排水用凹条部
【図１】
0003900337.tif 000002
【図２】
0003900337.tif 000003
【図３】
0003900337.tif 000004